(57)【要約】【課題】  地域のガイドブックとしての役割を果たす包装商品を提供する。【解決手段】  商品を小包装体で包んだ複数の小包装品と、各小包装品を収納する大包装体と、を備える包装商品において、小包装体１２には、所定の地域内に存在する観光スポットの紹介情報が表され、紹介情報は、観光スポットを紹介するための画像情報１２１及び文字情報１２２からなるとともに、観光スポットが地域内に複数存在することにより、各観光スポットに対応する複数の紹介情報があり、文字情報１２２は、観光スポットの名称及び特徴を含む情報からなり、複数の小包装体１２には、各観光スポットに対応する紹介情報が表され、複数の小包装体１２の集合体により、地域全体を一の観光地とした観光ガイド情報が集約され、大包装体には、地域の名称及び観光地の名称のうちの少なくともいずれか一方が表される。【選択図】      図３
2018172181.tif 000002
【特許請求の範囲】
【請求項１】
所定の商品の全部又は一部を小包装体で包んだ複数の小包装品と、前記複数の小包装品を収納する大包装体と、を備える包装商品において、
所定の地域内に存在する観光スポットを紹介する紹介情報であって、前記観光スポットを紹介するための画像情報及び文字情報からなるとともに、前記観光スポットが前記地域内に複数存在することにより、それぞれの前記観光スポットに対応する複数の前記紹介情報と、
前記紹介情報を取得した時期又は前記紹介情報の有効な時期のうちのいずれか一方を特定可能な時期情報と、を有し、
前記時期情報は、前記大包装体又は前記小包装体のうちの少なくともいずれか一方に表され、
複数の前記小包装体には、一の前記観光スポットに対応する一の前記紹介情報が表され、
前記大包装体には、前記地域の名称又は前記観光スポットを有する観光地の名称のうちの少なくともいずれか一方の名称が表される
ことを特徴とする包装商品。
【発明の詳細な説明】
【技術分野】
【０００１】
本発明は、所定の観光スポットに関する紹介情報を外装に付した包装商品に関する。
【背景技術】
【０００２】
所定の観光スポットに関する紹介情報を外装に付した包装商品としては、例えば、本願に先立って出願された「特願２０１４−１１９１５９」の審査過程で引用された「伊東八景ひとくち羊羹（登録商標）」なる包装商品が提案されている。
この包装商品は、景勝地の紹介情報を複数の小包装品にそれぞれ付し、複数の小包装品を収納する大包装体に各景勝地を含む観光地の名称を付した包装商品である。
また、複数の小包装品を備える包装形態を有していないものの、例えば、特許文献１には、トランプの絵柄に観光地の風景を付すとともに、観光地の名称を付したトランプカードが提案されている。
【先行技術文献】
【特許文献】
【０００３】
【特許文献１】実開平６−５２８８１号公報
【発明の概要】
【発明が解決しようとする課題】
【０００４】
しかしながら、従来の包装商品は、購入者が各観光スポットの紹介情報を一目で取得しやすいように、見やすく、分かりやすくするという工夫に欠けていた。
また、表された情報が古い情報の場合、購入者に迷惑をかける場合もあるため、情報を取得した時期又は有効な時期を購入者に知らしめる必要があった。
【０００５】
本発明は、複数の小包装品と、複数の小包装品を収納する大包装体と、を備え、各小包装品の外装それぞれに各観光スポットに対応する紹介情報を表すことにより、複数の小包装品の集合体によって一の地域の観光ガイド情報が得られるという、特願２０１４−１１９１５９に記載されている包装商品の改良発明であり、紹介情報の見やすさ、分かりやすさを追求した包装商品の提供を目的とする。
【課題を解決するための手段】
【０００６】
上記目的を達成するため、第一の発明に係る包装商品は、所定の商品の全部又は一部を小包装体で包んだ複数の小包装品と、前記複数の小包装品を収納する大包装体と、を備える包装商品において、所定の地域内に存在する観光スポットを紹介する紹介情報であって、前記観光スポットを紹介するための画像情報及び文字情報からなるとともに、前記観光スポットが前記地域内に複数存在することにより、それぞれの前記観光スポットに対応する複数の前記紹介情報を有し、前記文字情報は、前記観光スポットの名称及び特徴を表した文章からなり、前記小包装体は、前記画像情報と前記文字情報の両方を一の前記小包装体に表す第一の表示形態、又は、前記画像情報を一の前記小包装体に表し、前記文字情報を他の前記小包装体に表すことにより、二つの前記小包装体に表された情報で一の前記紹介情報をなす第二の表示形態、のうちのいずれか一方の表示形態を有し、前記大包装体には、前記地域の名称又は前記観光スポットを有する観光地の名称のうちの少なくともいずれか一方の名称が表され、前記画像情報は第一の枠により区画される領域内に表されるとともに、前記文字情報は第二の枠により区画される領域内に表され、前記第二の枠内は、前記文字情報の背景として、複数の前記小包装体を通じて共通する一の色で占められる構成としてある。
【０００７】
また、第二の発明に係る包装商品は、所定の商品の全部又は一部を小包装体で包んだ複数の小包装品と、前記複数の小包装品を収納する大包装体と、を備える包装商品において、所定の地域内に存在する観光スポットを紹介する紹介情報であって、前記観光スポットを紹介するための画像情報及び文字情報からなるとともに、前記観光スポットが前記地域内に複数存在することにより、それぞれの前記観光スポットに対応する複数の前記紹介情報を有し、前記文字情報は、前記観光スポットの名称及び特徴を表した文章からなり、前記小包装体は、前記画像情報と前記文字情報の両方を一の前記小包装体に表す第一の表示形態、又は、前記画像情報を一の前記小包装体に表し、前記文字情報を他の前記小包装体に表すことにより、二つの前記小包装体に表された情報で一の前記紹介情報をなす第二の表示形態、のうちのいずれか一方の表示形態を有し、前記大包装体には、前記地域の名称又は前記観光スポットを有する観光地の名称のうちの少なくともいずれか一方の名称が表され、前記画像情報は第一の枠により区画される領域内に表されるとともに、前記文字情報は第二の枠により区画される領域内に表され、前記第一の枠及び前記第二の枠により区画されるそれぞれの領域内には、一の前記観光スポットに対応する前記紹介情報であることを識別させるための共通する一つの文字が、第三の枠により区画される領域内に表される構成としてある。
【０００８】
また、第三の発明に係る包装商品は、所定の商品の全部又は一部を小包装体で包んだ複数の小包装品と、前記複数の小包装品を収納する大包装体と、を備える包装商品において、所定の地域内に存在する観光スポットを紹介する紹介情報であって、前記観光スポットを紹介するための画像情報及び文字情報からなるとともに、前記観光スポットが前記地域内に複数存在することにより、それぞれの前記観光スポットに対応する複数の前記紹介情報と、前記紹介情報を取得した時期又は前記紹介情報の有効な時期のうちのいずれか一方を特定可能な時期情報と、を有し、前記時期情報は、前記大包装体又は前記小包装体のうちの少なくともいずれか一方に表され、複数の前記小包装体には、一の前記観光スポットに対応する一の前記紹介情報が表され、前記大包装体には、前記地域の名称又は前記観光スポットを有する観光地の名称のうちの少なくともいずれか一方の名称が表される構成とすることもできる。
【発明の効果】
【０００９】
本発明によれば、包装商品でありながらも、観光スポットの紹介手段として、見やすく、分かりやすい表示形態を備えることで、一の包装商品が地域のガイドブックとしての役割を果たすことができる。
また、表示される情報を取得した時期や有効な時期が記載されることで、観光スポットの実状に沿った情報を提供することができる。
【図面の簡単な説明】
【００１０】
【図１】本発明の包装商品の一実施形態を示す包装形態図である。
【図２】本発明の包装商品の他の実施形態を示す包装形態図である。
【図３】本発明の小包装品の一実施形態であり、富士山を観光スポットとしたときの一表示形態を示す図である。
【図４】本発明の小包装品の一実施形態であり、富岡製糸を観光スポットとしたときの一表示形態を示す図である。
【図５】本発明の小包装品の一実施形態であり、仙台（仙台城）を観光スポットとしたときの一表示形態を示す図である。
【図６】本発明の小包装品の一実施形態であり、愛媛県を観光スポットとしたときの一表示形態を示す図である。
【図７】本発明の小包装品の他の実施形態であり、富士山を観光スポットとしたときの一表示形態を示す図である。
【発明を実施するための形態】
【００１１】
本発明に係る包装商品の好ましい実施形態について、図１〜図７を参照して説明する。
【００１２】
本実施形態の包装商品１（１Ａ，１Ｂ）は、図１〜図７に示すように、所定の商品１１を小包装体１２で包んだ複数の小包装品１０（１０Ａ〜１０Ｄ）と、複数の小包装品１０を収納する大包装体２０と、を備え、各小包装品１０の外装それぞれに各観光スポットに対応する紹介情報を表すことにより、複数の小包装品の集合体によって一の地域の観光ガイド情報が得られるようになっている。
【００１３】
［大包装体］
大包装体２０は、例えば、図１に示す包装商品１Ａでは、所定の樹脂フィルム（例えば、一部の領域が透明なフィルム）等により袋状に形成され、図２に示す包装商品１Ｂでは、所定の紙等により箱状（例えば、一対の上箱と下箱）に形成されているが、その形態及び材質は任意である。
【００１４】
大包装体２０には、地域の名称及び観光地の名称のうちの少なくともいずれか一方の名称を含む情報２０１が表されている。
例えば、本実施形態では、図１に示すように、「日本」という国名（地域名）を含む「日本名所めぐり」からなる情報２０１が表されている。
この名称を含む情報２０１によって、包装商品１を購入しようとする者は、複数の小包装品１０の集合体により、日本全体を一つの観光地とした観光ガイド情報が集約されていることを認識することができる。また、名称は、現在使用されている名称だけではなく、現在、過去を問わず使用された名称、略称、俗称でもよい（例えば、名称が「群馬」ならば「上州」、「上毛」など）。
また、情報２０１に加えて、特に図示しないが、商品１１の品種を特定可能な情報を表すこともできる。
また、情報２０１は、地域の名称及び観光地の名称そのもの（「日本」のみ）でもよい。
【００１５】
また、大包装体２０には、複数の観光スポットを特定可能な名称２０３が表されている。
例えば、本実施形態では、図１に示すように、大包装体２０に、「富士山」、「伊達政宗」、「富岡製糸」、「愛媛みかん」の名称２０３が表されている。これらの名称は、小包装体１２に表された各観光スポットの名称と同一の名称となっている。
これにより、大包装体２０に表される複数の観光スポットの名称が目次（インデックス）として機能し、包装商品１を購入しようとする者は、大包装体２０を開封しなくても、紹介情報が得ることのできる観光スポットを一目で認識することができる。
なお、観光スポットを特定可能な名称２０３は、「富士山」、「富岡製糸」、「愛媛みかん」のように具体的な地名、施設名を含む名称とすることもできるが、「伊達政宗」のように間接的に観光スポットとしての「仙台」を特定可能な名称でもよい。
また、大包装体２０に表される観光スポットの名称は、小包装品１０に付された紹介情報に係る観光スポットの名称のすべてが好ましいが、代表する一部の名称でもよく、例えば、「富士山」、「富岡製糸」だけでもよい。
また、大包装体２０に表される名称２０３は、小包装体１２に表された各観光スポットの名称と同一であることが好ましいが、名称に関連する又は連想させる名称でもよく、例えば、小包装体１２の名称「伊達政宗」に対して大包装体２０に表される名称は「仙台」でもよい。
また、名称２０３は、図１に示すように、大包装体２０の裏面ではなく、情報２０１とともに大包装体２０の表面に表すことが好ましい。
【００１６】
また、大包装体２０には、地域を特定可能な地図とともに当該地図上において、観光スポットの位置を特定可能な地図情報２０２が表される。
例えば、本実施形態では、図１に示すように、大包装体２０に、日本を特定可能な日本地図とともにこの地図上において、「富士山」、「伊達政宗」、「富岡製糸」及び「愛媛みかん」それぞれに対応する観光スポットの位置を特定可能な地図情報２０２が表される。
これにより、包装商品１の購入者は、その地域全体の地図ととともに、その地域における各観光スポットの位置を特定することができる。
なお、地図上における各観光スポットの位置を特定可能に表す態様は、本実施形態では、「棒線」と「●」で表したが、その他の表示形態でもよく、例えば、「富士山」ならば「ふ」の文字を、「富岡製糸」ならば「と」の文字（五十音）などを、地図上のそれぞれの位置に表すこともできる。また、これらの文字は、小包装体１２と同様、四角の枠（第三の枠）内に表すこともできる。
また、本実施形態では、地図情報２０２を、情報２０１及び複数の観光スポットの名称２０３とともに、大包装体２０の表面に表したが、地図情報２０２のみを大包装体２０の裏面に表すこともできる。
【００１７】
また、図１に示す包装商品１Ａの大包装体２０には、小包装体１２に表した紹介情報を取得した時期又は前記紹介情報の有効な時期のうちいずれか一方を特定可能な時期情報２０４が表されている。
紹介情報を取得した時期とは、画像情報としての写真を撮った時期、文字情報としての特徴を取材・調査した時期、観光スポットの所在地、最寄りの所定ランドマークから観光スポットへのルート情報、観光スポットの電話番号、及び観光スポットを紹介するインターネット上のホームページアドレスなどのアクセス情報を調査した時期であり、紹介情報が有効な時期とは、紹介情報を取得した時期以降の時期、例えば、紹介情報を取得した時期から１〜４年以内や、当該包装商品の販売日を含む時期である。
これらの時期は、月又は年単位で表されることが好ましく、有効な時期を表すときには、「最新版」の文字も一緒に表すことが好ましい。
また、紹介情報を取得した時期又は紹介情報が有効な時期に該当するところの紹介情報は、画像情報、文字情報、アクセス情報のうちのいずれか一つでもよい。
また、このような時期情報２０４は、大包装体２０に代えて又は加えて小包装体１２に表すこともできる。
また、時期情報２０４は、紹介情報の更新に合わせて、定期又は不定期に更新されることが好ましい。
このような時期情報２０４を包装商品１に表すことにより、購入者の包装商品１に対する信頼を向上させることができるとともに、購入者が紹介情報を安心して利用することができる。
なお、図２に示す包装商品１Ｂの大包装体２０では、時期情報２０４を表さない構成とすることもできる。
【００１８】
［小包装体］
第一実施形態に係る小包装体１２について、図３〜図６を参照しながら説明する。
小包装体１２は、図３〜図６に示す例では、所定の樹脂フィルム等により袋状に形成してあるが、所定の紙等により箱状に形成することもできる。また、本実施形態では商品１１の全部を包む形態を有しているが、商品１１の一部を包む形態でもよい。また、銀紙などで包む形態でもよく、小包装体１２の形態及び材質は任意である。
【００１９】
このような包装形態を有する各小包装体１２には、日本という地域内に存在する観光スポットを紹介する紹介情報が表（印刷）されている。
日本には、複数の観光スポットが存在することから、それぞれの観光スポットに対応する複数の紹介情報がある。
複数の小包装品１０Ａ〜１０Ｄそれぞれに対応する各小包装体１２には、以下に示すように、一の観光スポットに対応する一の紹介情報が表されている。
紹介情報は、観光スポットを紹介するための画像情報１２１及び文字情報１２２からなり、文字情報１２２は、観光スポットの名称及び特徴を含む情報（文章）からなる。
【００２０】
具体的には、例えば、図３に示す小包装品１０Ａでは、小包装体１２に観光スポットとして「富士山」を紹介するための画像情報１２１及び文字情報１２２が表されている。
画像情報１２１は、「富士山」の写真又は絵（イラスト）で構成されている。
文字情報１２２は、「富士山は日本一美しい山です。標高３３７６ｍの活火山です。」などの「富士山」の名称と特徴を含む情報（文章）からなる。
これにより、包装商品１の購入者は、観光スポットとしての「富士山」の紹介情報を得ることができる。
また、小包装体１２には、「富士山」を紹介するインターネット上のホームページアドレス１２３が表されている。
これにより、包装商品１の購入者は、手持ちの通信端末（例えば、携帯電話、スマートフォン）等を介して「富士山」のさらなる詳細な情報を得ることができる。
【００２１】
図４に示す小包装品１０Ｂでは、小包装体１２に観光スポットとして「富岡製糸」を紹介するための画像情報１２１及び文字情報１２２が表されている。
画像情報１２１は、「富岡製糸」の写真又は絵（イラスト）で構成されている。
文字情報１２２は、「富岡製糸は１８７２年に誕生した日本で最初の製糸場です。」などの「富岡製糸」の名称及び特徴を含む情報（文章）からなる。
これにより、包装商品１の購入者は、観光スポットとしての「富岡製糸」の紹介情報を得ることができる。
また、小包装体１２には、「富岡製糸」の電話番号１２３が表されている。
これにより、包装商品１の購入者は、詳細な情報を得るために、手持ちの通信端末等を介して「富岡製糸」に問い合わせることができる。
【００２２】
図５に示す小包装品１０Ｃでは、小包装体１２に観光スポットとして「仙台（仙台城）」を紹介するための画像情報１２１及び文字情報１２２が表されている。
画像情報１２１は、「伊達政宗」の写真又は絵（イラスト）で構成されている。
文字情報１２２は、「伊達政宗は江戸時代に活躍した武将で、独眼竜の異名をもつ仙台藩初代藩主です。」などの「伊達政宗（仙台城主）」の名称及び特徴を含む情報（文章）からなる。
これにより、包装商品１の購入者は、観光スポットとしての「仙台（仙台城）」の紹介情報を得ることができる。
また、小包装体１２には、「仙台城」の所在地１２３が表されている。
これにより、包装商品１の購入者は、所在地１２３を手掛かりに「仙台城」へ行くことができる。
【００２３】
図６に示す小包装品１０Ｄでは、小包装体１２に観光スポットとして「愛媛県」を紹介するための画像情報１２１及び文字情報１２２が表されている。
画像情報１２１は、「愛媛みかん」の写真又は絵（イラスト）で構成されている。
文字情報１２２は、「温暖な気候で日照時間の長い愛媛県は、生産量日本一のみかん王国です。」などの「愛媛みかん」の名称及び特徴を含む情報（文章）からなる。
これにより、包装商品１の購入者は、観光スポットとしての「愛媛県」の紹介情報を得ることができる。
また、小包装体１２には、「愛媛県」を紹介するインターネット上のホームページアドレス１２３が表されている。
これにより、包装商品１の購入者は、手持ちの通信端末等を介して「愛媛県」のさらなる詳細な情報を得ることができる。
【００２４】
このように、複数の小包装品１０Ａ〜１０Ｄそれぞれに対応する各小包装体１２に、一の観光スポットに対応する一の紹介情報が表されることにより、複数の小包装品１０Ａ〜１０Ｄの集合体により、日本を一つの観光地とした観光ガイド情報を得ることができる。
すなわち、一の包装商品１（１Ａ，１Ｂ）の購入により、商品１１そのものの価値とともに、その地域（日本）のガイドブックとしての利用価値を同時に得ることができる。
なお、画像情報１２１と文字情報１２２は、図３〜図６に示すように、小包装体１２の同じ面に一緒に表すことが好ましいが、画像情報１２１を表面、文字情報１２２を裏面などにそれぞれを別の面に表すこともできる。
【００２５】
また、複数の小包装品１０Ａ〜１０Ｄそれぞれに対応する各小包装体１２において、画像情報１２１は第一の枠１２１ａにより区画された領域内に表され、文字情報１２２は第一の枠１２１ａとは領域の異なる第二の枠１２２ａにより区画された領域内に表されている。
これにより、各小包装体１２内において、画像情報１２１と文字情報１２２それぞれの情報の所在が明確となる。
一方、従来の包装商品（例えば、「伊東八景ひとくち羊羹（登録商標）」）では、それぞれが区画された領域内に配置されていないことから、文字情報がどの画像情報を指し示すものなのかが不明確となる。
また、第一の枠１２１ａと第二の枠１２２ａの形は、矩形状（四角）とすることが好ましいが、コーナーを丸めるなどその他の形を採用することもできる。また、第一の枠１２１ａと第二の枠１２２ａの形は同じであること、及び複数の小包装品１０Ａ〜１０Ｄそれぞれに対応する各小包装体１２を通じて共通な形であることが好ましい。
また、第一の枠１２１ａと第二の枠１２２ａは、同じ大きさを有することが好ましいが、異なる大きさとすることもできる。
また、第一の枠１２１ａと第二の枠１２２ａは、各情報１２１，１２２の表される領域としてその他の領域と区分されればよいので、有色の線でも無色の線でもよい。無色の線の場合では、枠内と枠外が異なる色であれば、領域の境界として区別可能である。
また、画像情報１２１及び文字情報１２２は、第一の枠１２１ａ及び第二の枠１２２ａとともに、同じ面（表面）に表すこともできるが、一方を表面、他方を裏面などのようにそれぞれを別の面に表すこともできる。
【００２６】
また、複数の小包装品１０Ａ〜１０Ｄそれぞれに対応する各小包装体１２において、第二の枠１２２ａ内は、文字情報１２２の背景として、共通する一の色で占められる（塗りつぶされる）ことが好ましい。共通する一の色は、例えば、白、水色、ピンクなどの薄い色が好ましい。また、文字情報１２２の文字色も同じ色であることが好ましい。文字色は、例えば、黒などの濃い色が好ましい。
これは、複数の小包装品１０Ａ〜１０Ｄにおいて、画像情報１２１は華やかさ創出するためにそれぞれ異なる色彩が使用することが好ましいものの、文字情報１２２に関しては読みやすさを優先させるとともに、共通性を持たせた方が文字情報１２２の表される場所を特定しやすいからである。
なお、文字情報１２２の背景色を共通する一の色で占める複数の小包装品は、二以上あればよく、大包装体２０に収納される小包装品のすべてでなくてもよい。
また、文字情報１２２の背景色を共通する一の色で占める複数の小包装品を備える包装商品の場合、以下に説明する第三の枠１２１ｂ，１２２ｂを設けることもできるし、設けないこともできる。
【００２７】
また、小包装品１０Ａ〜１０Ｄそれぞれに対応する各小包装体１２において、第一の枠１２１ａと第二の枠１２２ａにより区画されるそれぞれの領域内には、一の観光スポットに対応する紹介情報であることを識別させるための共通する一つの文字が、第三の枠１２１ｂ，１２２ｂにより区画される領域内にそれぞれ表されることが好ましい。
共通する文字は、小包装品１０Ａは「ふ」、小包装品１０Ｂは「と」などのように、小包装品１０Ａ〜１０Ｄそれぞれの固有の文字（例えば、観光スポット名称の頭文字や、文字情報１２２の先頭文字）が好ましい。
また、文字の種類は限定されず、ひらがな、カタカナ、アルファベット、数字、漢字でもよい。
第三の枠の形は、特に限定されず、四角、円（丸）など任意な形を採用できるが、第三の枠１２１ｂと１２２ｂとで同じ形、及び小包装品１０Ａ〜１０Ｄそれぞれに対応する各小包装体１２を通じて共通する形が好ましい（すなわち、各小包装品１０Ａ〜１０Ｄの第三の枠はすべて同じ四角形）。
なお、文字と第三の枠の形の大きさは、同じでもよいし、異なってもよい。文字と第三の枠の形の色も、同じでもよいし、異なってもよい。
また、第三の枠１２１ｂ，１２２ｂは、一つの文字の表される領域としてその他の領域と区分されればよいことから、有色の線でも無色の線でもよい。無色の線の場合では、枠内と枠外が異なる色であれば、領域の境界として区別可能である。
このように、小包装品１０Ａ〜１０Ｄそれぞれにおいて、共通する一つの文字が（共通の形を有する）第三の枠１２１ｂ，１２２ｂにより区画される領域内にそれぞれ配置されることで、画像情報１２１と文字情報１２２が密接な関連性があることを購入者に認識させることができる。
なお、第三の枠１２１ｂ，１２２ｂを設ける複数の小包装品を備える包装商品の場合、文字情報１２２の背景色を共通する一の色で占めることが好ましいが、それぞれ異なる色にすることもできる。また、文字情報１２２の背景色を共通する一の色で占める複数の小包装品は、二以上あればよく、大包装体２０に収納される小包装品のすべてでなくてもよい。
【００２８】
次に、第二実施形態に係る小包装品について、図７を参照しながら説明する。
図７に示す小包装品１０Ａ−１，１０Ａ−２は、図３に示す小包装品１０Ａの変形実施形態である。
具体的には、図３〜６に示す小包装品１０Ａ〜１０Ｄでは、画像情報１２１と文字情報１２２の両方を一の小包装体１２に表す、本発明に係る第一の表示形態を採用したが、図７に示す小包装品は、画像情報１２１を一の小包装品１０Ａ−１の小包装体１２に表し、文字情報１２２を他の小包装品１０Ａ−２の小包装体１２に表すことにより、二つの小包装品に表された情報で一の紹介情報をなす、本発明に係る第二の表示形態を示す実施例であり、その他の構成は、第一実施形態と同じである。
この例では、第三の枠１２１ｂ，１２２ｂにそれぞれ表された固有の文字（「ふ」）が「キー」となり、複数の小包装品１０の中から、対をなす情報を有する小包装体１２を見つけることができる。
なお、第二実施形態では、複数の小包装品１０がすべて図７に示す第二の表示形態を有することが好ましい。つまり、複数の小包装品１０にはそれぞれ、画像情報１２１又は文字情報１２２のいずれか一方のみが表される形態を有することになる。
【００２９】
以上説明したように、包装商品１（１Ａ，１Ｂ）によれば、複数の小包装品１０Ａ〜１０Ｄの集合体により、日本を一つの観光地とした観光ガイド情報が得られるので、一の包装商品１がその地域のガイドブックとしての役割を果たすことができる。
【００３０】
以上、本発明の包装商品の好ましい実施形態について説明したが、本発明に係る包装商品は上述した実施形態にのみ限定されるものではなく、以下に示すように、本発明の範囲で種々の変更実施が可能であることはいうまでもない。
【００３１】
例えば、商品１１の形状は特に限定されないが、画像情報１２１と文字情報１２２が視認しやすいように（画像情報１２１と文字情報１２２の形が崩れないように）、外形が扁平な商品が好ましい。
また、商品１１の品種は特に限定されないが、包装商品１はその地域の土産品としての利用に適していることから、商品１１はその地域の特産品が好ましく、特に、その特産品を活かした、例えば、せんべい、クッキーなどの食品が好ましい。
【００３２】
また、本実施形態では、地域を特定可能な地図とともに当該地図上において観光スポットの位置を特定可能な地図情報を大包装体２０に表したが、これに代えて又はこれに加えて、小包装体１２に表すこともできる。この場合、小包装体１２には、その小包装体１２に表された紹介情報に対応する観光スポットの位置を特定可能な地図情報を表すことが好ましい。
【００３３】
また、本実施形態では、観光スポットの所在地、最寄りの所定ランドマークから観光スポットへのルート情報、観光スポットの電話番号、及び前記観光スポットを紹介するインターネット上のホームページアドレスを小包装体１２に表したが、これに代えて又はこれに加えて、大包装体２０に表すこともできる。
また、最寄りの所定ランドマークから観光スポットへのルート情報は、例えば、最寄りの駅、バス停、施設などのランドマークから観光スポットへ移動可能な交通手段、行き先、所要時間等を含む情報である。
また、これらの情報は文字情報で表すこともできるし、これらの情報を購入者の通信端末等により読み取り可能にコード化した、例えば、ＱＲコード（登録商標）などの二次元コード等で表すこともできる。
【００３４】
また、紹介情報は、大包装体２０に収納されたすべての小包装品１０に対応するそれぞれの小包装体１２に表すこともできるが、それらの一部であって複数の小包装体１２に表すこともできる。この場合、紹介情報の表されていない残りの小包装体１２には紹介情報とは異なる画像及び文字情報を表すこともできる。
また、各小包装体１２に表す紹介情報は、それぞれ異なる種類（内容）となることが好ましいが二以上の小包装体１２に同じ紹介情報を表すこともできる。また、一の小包装体１２に二以上の紹介情報を表すこともできる。
【００３５】
また、本実施形態では、文字情報１２２を一つの文章として表し、この中に名称と特徴を一緒に表したが、それぞれを個別的に表すこともできる。
具体的には、例えば、図３に示す例では、「富士山は日本一美しい山です。標高３３７６ｍの活火山です。」という一つの文章の中に「富士山」の名称と特徴を一緒に表したが、文章内の「富士山」の名称はそのまま残して又は削除して、第二の枠外に「富士山」の名称を配置することもできる（図５、６参照）。
また、文字情報１２２は、日本語に限らず、英語などの外国語でもよい。また、二以上の言語を併記することもできる。
【００３６】
また、観光スポットは、購入者が行くことのできる場所であって、神社仏閣などの史跡、景勝地、遊園地・動物園などの施設、ある特産品の産地、ある植物の群生地、ある動物の生息地、歴史上の人物の生誕・ゆかりの地、ある歴史的な事件・出来事が起こった場所、ホテル、旅館、及び評判なグルメ店などが好ましい。
このような観光スポットは、所在地等で特定可能な一定範囲の場所に限定することもできるが、これより広範囲であってもよく、例えば、市町村単位、都道府県単位、関東、東北などの地方単位でもよい。
また、紹介情報は、史跡、景勝地、施設、特産品、植物、動物、歴史上の人物、歴史的な事件・出来事、ホテル、旅館、評判グルメ料理などの画像情報及び文字情報からなり、文字情報は、史跡名、景勝地名、施設名、特産品名、植物名、動物名、歴史上の人物名、歴史的な事件・出来事の名称、ホテル名、旅館名、評判グルメ料理名などと、これらの特徴を含む情報とからなるが、これらに限定されるものではない。
【００３７】
また、所定の地域は、国、都道府県、市町村、観光地などの単位が好ましい。
所定の地域の単位を、例えば、都道府県、市町村としたときには、各都道府県等で発行されているご当地かるた（例えば、群馬ならば「上毛かるた（登録商標）」）の絵札を画像情報１２１の全部又は一部として、また、読み札あるいは読み札の内容を文字情報１２２の全部又は一部として利用することもできる。この場合、絵札の外形が第一の枠となり、読み札の外形が第二の枠となる。
【００３８】
また、大包装体２０は、外部から画像情報又は文字情報が視認できるように、一部の領域を透明とすることが好ましい。
また、情報２０１を構成する文字、特に「地域又は観光地の名称」は、「横書き」が好ましく、大包装体２０の表面領域を半分にしたときに半分よりも上の領域に表すことが好ましい。これは、大包装体２０を袋体とし、包装商品１Ａを棚等に重ねて陳列したときには、「横書き」の名称が視認可能となるからである。一方、複数の観光スポットを特定可能な名称２０３を構成する文字は、「縦書き」が好ましい。
また、情報２０１及び複数の観光スポットの名称２０３を構成する文字は、不透明となるように、裏面から白打ち印刷処理を施すことが好ましい。
また、情報２０１、名称２０３、及び時期情報２０４に関しては、第一の枠又は第二の枠のような枠が無い方（文字のみ）が好ましい。
【００３９】
また、大包装体２０又は小包装体１２に時期情報を表す第三の発明に係る包装商品では、一の小包装体１２に画像情報と文字情報の両方が表された第一の表示形態を有する小包装品を収納することが好ましい。
また、この第三の発明に係る包装商品では、第一の枠及び第二の枠の両方又はいずれか一方を削除した表示形態を有する小包装品を収納することもできる。この場合、第一の枠は残しつつ、第二の枠を削除することが好ましい。また、画像情報１２１と文字情報１２２は、小包装体１２の異なる面にそれぞれ表すこともできるが、同じ面に表すことが好ましい。このときの文字情報１２２は、第一及び第二の発明に係る包装商品の文字情報１２２と同様に、観光スポットの名称及び特徴を表した文章とすることもできるが、観光スポットの名称のみでもよく、文字情報１２２の内容は限定されるものではない。また、この文字情報１２２を構成する文字は、「横書き」が好ましい。
また、第三の発明に係る包装商品では、第二の枠の有無にかかわらず、文字情報１２２の背景として、複数の小包装体１２を通じて共通する一の色（例えば、白などの薄い色）で占められることが好ましい。
【００４０】
一方、第一及び第二の発明に係る包装商品では、大包装体２０には、第一の表示形態を有する小包装体又は第二の表示形態を有する小包装体のいずれか一方の表示形態を有する小包装品を収納するものの、時期情報に関しては、表わしてもよいが、表さなくてもよい。また、第一及び第二の発明に係る包装商品における文字情報１２２を構成する文字は、「縦書き」が好ましい。
【産業上の利用可能性】
【００４１】
本発明は、複数の小包装品と、複数の小包装品を収納する大包装体と、を備える包装商品に広く利用することができる。
【符号の説明】
【００４２】
１（１Ａ，１Ｂ）  包装商品
１０（１０Ａ〜１０Ｄ）  小包装品
１１  商品
１２  小包装体
１２１  画像情報
１２１ａ  第一の枠
１２１ｂ  第三の枠（及び文字）
１２２  文字情報
１２２ａ  第二の枠
１２２ｂ  第三の枠（及び文字）
１２３  観光スポットの所在地，最寄りの所定ランドマークから観光スポットへのルート情報，観光スポットの電話番号，観光スポットを紹介するインターネット上のホームページアドレス
２０  大包装体
２０１  地域の名称又は観光地の名称
２０２  地図情報
２０３  観光スポットを特定可能な名称
２０４  時期情報
【図１】
2018172181.tif 000003
【図２】
2018172181.tif 000004
【図３】
2018172181.tif 000005
【図４】
2018172181.tif 000006
【図５】
2018172181.tif 000007
【図６】
2018172181.tif 000008
【図７】
2018172181.tif 000009